(57)【要約】【課題】ユーザが直感的にコンテンツを理解することができるコンテンツ管理方法及びコンテンツ管理装置を提供する。【解決手段】サーバ１０は、コンテンツを記憶する端末２０の位置情報を端末２０から受信し管理する位置情報管理部１４と、予め定められたエリア判定条件１９に基づき、位置情報の属するエリアを判定するエリア判定部１６ａと、エリアに対応付けて端末２０を分類処理する分類処理部１６ｂと、分類処理の結果に基づきコンテンツを端末２０側で分類表示させるためにエリア識別情報、端末識別情報及びコンテンツ識別情報を対応付けて出力する通信部１８を備える。【選択図】    図１
2005062952.tif 000002
【特許請求の範囲】
【請求項１】
コンテンツを記憶する複数の端末の位置情報を前記複数の端末から取得し、
予め定められたエリア判定条件に基づき、前記位置情報の属するエリアを判定し、
前記エリアに対応付けて前記複数の端末を分類処理し、
前記分類処理の結果に基づき前記エリアを識別するエリア識別情報、前記端末を識別する端末識別情報及び前記コンテンツを識別するコンテンツ識別情報の３つの情報を対応付けたコンテンツ分類情報を生成する
ことを特徴とするコンテンツ管理方法。
【請求項２】
前記端末の位置情報に基づき前記端末の位置情報の変化の有無を判定し、
前記端末の位置情報が変化有りと判定した場合に、前記エリアの判定、前記分類処理並びに前記分類情報の生成を実行する
ことを特徴とする請求項１に記載のコンテンツ管理方法。
【請求項３】
さらに、
前記複数の端末にコンテンツリストの送信要求を行い、
前記検索要求に応答して前記複数の端末から前記コンテンツ識別情報のリストを受信し、
前記コンテンツ識別情報のリストと前記分類処理結果に基づき前記分類情報の生成を行う
ことを特徴とする請求項１に記載のコンテンツ管理方法。
【請求項４】
前記分類情報の生成は、前記エリア識別情報を第１の階層とし、前記端末識別情報を前記第１の階層よりも下層の第２の階層とし、前記コンテンツ識別情報を前記第２の階層よりも下層の第３の階層とした階層ツリー状に生成することを特徴とする請求項１に記載のコンテンツ管理方法。
【請求項５】
前記判定は、前記端末が前記エリア判定条件で登録された範囲外である場合に、登録エリア外であると判定する処理を含み、前記分類処理は、登録エリア外であると判定された端末に登録エリア外であることを示すエリア識別情報を割り当てる処理を含むことを特徴とする請求項１に記載のコンテンツ管理方法。
【請求項６】
さらに、
登録エリア外であると判定された端末からコンテンツ表示要求を受信した場合、前記分類処理では該端末に現在位置であることを示すエリア識別情報を割り当てることを特徴とする請求項５に記載のコンテンツ管理方法。
【請求項７】
コンテンツを記憶する複数の端末の位置情報を前記複数の端末から取得する位置情報取得部と、
予め定められたエリア判定条件に基づき、前記位置情報の属するエリアを判定する判定部と、
前記エリアに対応付けて前記端末を分類処理する分類処理部と、
前記分類処理の結果に基づき前記エリアを識別するエリア識別情報、前記端末を識別する端末識別情報及び前記コンテンツを識別するコンテンツ識別情報の３つの情報を対応付けたコンテンツ分類情報を生成する分類情報生成部と
を具備してなることを特徴とするコンテンツ管理装置。
【発明の詳細な説明】
【０００１】
【発明の属する技術分野】
本発明は、ネットワークに接続された端末内のコンテンツを分類表示するためにコンテンツを管理するコンテンツ管理方法及びコンテンツ管理装置に関する。
【０００２】
【従来の技術】
近年、情報端末を有線あるいは無線ネットワークでサーバに接続し、サーバ経由で個々の情報端末へマルチメディアコンテンツデータ（以下、コンテンツと呼ぶ）を転送する技術が利用されている。この技術により、場所を選ばず番組、写真あるいは音楽などのコンテンツを楽しむといった生活スタイルが浸透しつつある。コンテンツデータには、例えば映像データ、音声データなどが含まれる。情報端末としては、例えば家庭内で使用されるパーソナルコンピュータ（以下、ＰＣ）、携帯電話やＰＤＡ（Ｐｅｒｓｏｎａｌ  Ｄｉｇｉｔａｌ  Ａｓｓｉｓｔａｎｃｅ）に代表される携帯端末、さらには番組レコーダ付きＴＶなどがある。
【０００３】
このような機能を持つサーバの代表例にホームサーバがある。ホームサーバとは、映像や音楽、画像といったコンテンツを蓄積、管理するもので、通常はネットワークで接続された端末機器の制御を行うことも可能である。
【０００４】
例えば、非特許文献１のホームサーバは無線ＬＡＮ機能を内蔵するため、居間から、無線通信により書斎や台所等他の部屋にあるＰＣに映像や音楽を転送することができる。すなわち、ホームサーバとは、映像等のデジタルコンテンツを蓄積するとともに、家庭内に位置する端末に対してコンテンツを送受信する、いわば司令塔の役割を持っている。このホームサーバは、必須の機能としてネットワークに接続されたコンテンツの中から所望のものを検索表示する機能を有する。
【０００５】
一方、こうしたホームサーバの利用者としてＰＣ非利用者も増えている。すなわち、携帯電話による常時接続インターネットユーザの増加により、必ずしもＰＣ端末がなくてもホームネットワークを構成して映像や音楽等のコンテンツを管理するケースが増えてきている。また、現状のホームサーバはＰＣベースのものがほとんどであるため、上記端末内のコンテンツを管理する機能が通常備わっているものの、ユーザにコンテンツを呈示する際のコンテンツの分類表示方法も、例えば以下の（１）や（２）に示される知識のように、ＰＣの知識がないと理解が困難な場合が多い。
（１）ＰＣの物理ドライブ（Ａドライブ、Ｃドライブなど）
（２）メディアの種類（ＭＰＥＧフォーマットに代表される映像コンテンツ、ＪＰＥＧフォーマットに代表される画像コンテンツ、テキストファイル等）
このような分類表示は、ＰＣの知識が豊富な人向けであり、通常のＰＣの知識が乏しい家庭内の一般ユーザにとっては、上記分類の代わりに、居間、台所、子供部屋、オーディオルームなどといった物理的な位置でコンテンツを分類表示できることが望ましい。このようなＰＣの知識を有していることを前提とした分類表示の一例は特許文献１に示されている。
【０００６】
【特許文献１】
特開２００２−３２８８２１公報
【０００７】
【非特許文献１】
シャープ株式会社  パーソナルサーバ＜ガリレオ＞、［ｏｎｌｉｎｅ］、［２００３年７月１４日検索］、インターネット＜ＵＲＬ：ｈｔｔｐ：／／ｗｗｗ．ｓｈａｒｐ．ｃｏ．ｊｐ／ｇａｌｉｌｅｏ／ｉｎｄｅｘ．ｈｔｍｌ＞
【０００８】
【発明が解決しようとする課題】
以上説明したように、家庭内でＰＣ、携帯電話やＰＤＡ、番組レコーダといった情報端末を、有線あるいは無線ネットワーク上でサーバに接続し、個々の端末間でコンテンツを転送することにより、場所を選ばず好きなときに好きな番組、写真や音楽を視聴するといった生活スタイルが浸透しつつあるものの、現状では、居間、台所、子供部屋、オーディオルームなどといった物理的な位置でコンテンツを分類表示できないという問題点がある。
【０００９】
本発明は上記課題を解決するためになされたもので、その目的とするところは、ユーザが直感的にコンテンツを理解することができるコンテンツ管理方法及びコンテンツ管理装置を提供することにある。
【００１０】
【課題を解決するための手段】
この発明によれば、コンテンツを記憶する複数の端末の位置情報を前記複数の端末から取得し、予め定められたエリア判定条件に基づき、前記位置情報の属するエリアを判定し、前記エリアに対応付けて前記複数の端末を分類処理し、前記分類処理の結果に基づき前記エリアを識別するエリア識別情報、前記端末を識別する端末識別情報及び前記コンテンツを識別するコンテンツ識別情報の３つの情報を対応付けたコンテンツ分類情報を生成することを特徴とするコンテンツ管理方法が提供される。
【００１１】
また、方法に係る本発明は、その方法を実現するための装置の発明としても成立する。また、装置または方法に係る本発明は、コンピュータを当該発明に相当する手段として機能させるためのプログラム、このプログラムを記録したコンピュータ読取り可能な記録媒体としても成立する。
【００１２】
【発明の実施の形態】
以下、図面を参照しながら本発明の実施形態を説明する。
【００１３】
（第１実施形態）
図１は本発明の第１実施形態に係るコンテンツ管理システムの全体構成を示す図である。
【００１４】
図１に示すように、コンテンツ管理システム１は、１台のサーバ１０と複数の端末２０から構成される。サーバ１０と端末２０はネットワーク２により接続されている。
【００１５】
端末２０は、表示要求部２１、アクセス処理部２２、コンテンツ表示部２３、ローカルコンテンツ群２４、位置情報獲得部２５及び通信部２６からなる。端末２０のハードウェア構成は、ＣＰＵと、ＣＰＵに接続された記憶装置と、入力装置と、表示装置と、通信装置などからなり、例えば記憶装置からプログラムが読み出されることによりＣＰＵが表示要求部２１、アクセス処理部２２、コンテンツ表示部２３、位置情報獲得部２５及び通信部２６として機能する。また、記憶装置にはローカルコンテンツ群２４など本システムにおけるコンテンツ管理処理を実行するための各種プログラムやデータが格納される。なお、記録媒体読取装置が記録媒体からプログラムを読み出しＣＰＵにより上記プログラムを実行するようにしてもよい。
【００１６】
表示要求部２１は、ユーザが分類表示要求２７を入力するインタフェースである。表示要求部２１は、入力された分類表示要求２７に基づきアクセス処理部２２に分類の表示要求を行う。
【００１７】
アクセス処理部２２は、表示要求部２１からの表示要求に基づき通信部２６に分類表示要求の表示指示を行う。また、アクセス処理部２２は、通信部２６を介してサーバ１０から受信したリスト収集要求に基づきローカルコンテンツ群２４内を検索してコンテンツリストの収集処理を実行する。なお、以下でコンテンツリストとは、端末２０などが格納する複数のコンテンツデータを列挙したデータである。このコンテンツリストは、たとえばコンテンツ識別情報が列挙されたコンテンツ識別情報のリストと、コンテンツ識別情報に対応付けられたコンテンツそのものの集合からなる。
【００１８】
アクセス処理部２２は、コンテンツリスト収集に加えて、端末２０の位置情報の取得を位置情報獲得部２５に指示する。アクセス処理部２２は、位置情報獲得部２５から得られた端末位置情報及びローカルコンテンツ群２４から得られた検索収集結果としてのコンテンツリストを通信部２６を介してサーバ１０に送信する。また、アクセス処理部２２は、通信部２６を介してサーバ１０から受信した検索結果のコンテンツリスト及びコンテンツ分類情報の表示指示をコンテンツ表示部２３に行う。この表示指示では、アクセス処理部２２は後述する図１０に示すコンテンツ分類情報及び図９に示す検索結果に基づき表示画像データを生成し、コンテンツ表示部２３に渡す。
【００１９】
コンテンツ表示部２３は、アクセス処理部２２あるいは通信部２６からの表示指示に基づき、取得したコンテンツリストやコンテンツ分類情報を表示する。
【００２０】
ローカルコンテンツ群２４は、端末２０のみが持つコンテンツでもよいし、サーバ１０内のコンテンツにコピーがあってもよい。
【００２１】
位置情報獲得部２５は、アクセス処理部２２からの位置情報取得要求に基づき内蔵するＧＰＳ等を用いて端末２０自身の位置情報を示す端末位置情報を取得してアクセス処理部２２に渡す。アクセス処理部２２は、位置情報を通信部２６を介してサーバ１０へ送る。なお、位置情報獲得部２５はアクセス処理部２２を経由せずに通信部２６を介してサーバ１０に端末位置情報を送信してもよい。あるいは、ＧＰＳを内蔵していない端末２０に対しては、ＧＰＳを内蔵する別の端末群からアクセス距離に制限のある通信手段であるＢｌｕｅｔｏｏｔｈ（登録商標）等の近距離無線技術を用いてアクセス可能か否かをチェックすることで、当該端末２０の位置情報を推定してもよい。
【００２２】
通信部２６はアクセス処理部２２からの分類表示要求と、位置情報獲得部２５で取得された端末位置情報をサーバ１０に送信する。また、通信部２６は、サーバ１０から受信したリスト送信要求をアクセス処理部２２に渡す。また、通信部２６は、サーバ１０から検索結果のコンテンツリストおよびコンテンツ分類情報を受信し、アクセス処理部２２に出力する。
【００２３】
なお、端末２０はすべて同じ構成である必要はなく、上述した表示要求部２１、アクセス処理部２２、コンテンツ表示部２３、ローカルコンテンツ群２４、位置情報獲得部２５及び通信部２６を備えていれば、他に構成上の相違があってもよい。また、例えば、ローカルコンテンツ群２４を有さない構成でもよいし、その他、表示要求部２１、アクセス処理部２２、コンテンツ表示部２３、ローカルコンテンツ群２４、位置情報獲得部２５及び通信部２６に若干の構成上の相違があってもよい。
【００２４】
サーバ１０は、アクセス制御部１１、コンテンツリスト収集部１２、サーバコンテンツ群１３、位置情報管理部１４、端末位置情報ＤＢ１５、分類情報生成部１６、検索結果コンテンツ群１７、通信部１８、エリア判定条件１９、データ表示部３０及び入力部３１からなる。サーバ１０のハードウェア構成は、ＣＰＵと、ＣＰＵに接続された記憶装置と、入力装置と、表示装置と、通信装置などからなり、例えば記憶装置からプログラムが読み出されることによりＣＰＵがアクセス制御部１１、コンテンツリスト収集部１２、位置情報管理部１４、分類情報生成部１６、通信部１８、データ表示部３０及び入力部３１として機能する。また、記憶装置にはサーバコンテンツ群１３、端末位置情報ＤＢ（データベース）１５、検索結果コンテンツ群１７及びエリア判定条件１９など本システムにおけるコンテンツ管理処理を実行するための各種プログラムやデータが格納される。なお、記録媒体読取装置が記録媒体からプログラムを読み出しＣＰＵにより上記プログラムを実行するようにしてもよい。
【００２５】
アクセス制御部１１は、通信部１８を経由して端末２０から受信したコンテンツ検索要求に基づき、コンテンツリスト収集部１２に対してコンテンツの検索指示を行う。
【００２６】
コンテンツリスト収集部１２は、アクセス制御部１１からの検索指示に基づき検索を実行する。この検索では、各端末２０やサーバ１０に記憶されているコンテンツのリストを生成する。この検索処理はコンテンツが格納される形態などの条件によって異なる。例えば、（Ａ）サーバコンテンツ群１３がサーバ１０内にない場合、（Ｂ）サーバコンテンツ群１３に、端末２０内のローカルコンテンツ群２４のコピーがない場合、（Ｃ）サーバコンテンツ群１３内にローカルコンテンツ群２４のコピーがあるが、最新のコンテンツは端末２０内のローカルコンテンツ群２４に存在する場合においては、検索処理はローカルコンテンツ群２４に対して実行される。また、（Ｄ）サーバコンテンツ群１３内に、各端末２０内のローカルコンテンツ群２４のコピーがある場合、（Ｅ）サーバコンテンツ群１３内に、各端末２０に存在しないコンテンツがある場合においては、検索処理はサーバコンテンツ群１３および端末２０内のローカルコンテンツ群２４の両方に対して実行される。検索実行の結果得られた各端末２０のローカルコンテンツは、アクセス制御部１１で統合されて検索結果コンテンツ群１７として格納される。サーバコンテンツ群１３に対する検索結果のサーバ内コンテンツも、検索結果コンテンツ群１７として格納される。さらに、検索実行の結果得られた各端末２０の端末位置情報は通信部１８を経由して位置情報管理部１４に渡される。検索結果コンテンツ群１７は、例えばコンテンツリストの形態で格納される。
【００２７】
サーバコンテンツ群１３は、サーバ１０のみが持つコンテンツが格納されていてもよいし、端末２０が格納するコンテンツのコピーが格納されていてもよい。
【００２８】
位置情報管理部１４は、各端末２０の端末位置情報を管理する手段である。各端末２０の端末位置情報は、端末位置情報ＤＢ１５に一元管理される。位置情報管理部１４は、通信部１８を経由して端末２０から受信した最新の端末位置情報に端末位置情報ＤＢ１５を更新処理する。この更新処理のときに、あるいは分類情報生成部１６からの要求に応答して、分類情報生成部１６に最新の端末位置情報を渡す。なお、位置情報管理部１４は、位置情報に変化のない端末２０については端末位置情報の更新を行わなくてもよい。なお、端末位置情報ＤＢ１５は、最新の端末位置情報と位置変更前の端末位置情報を有しており、これらを比較照合することにより端末位置の変更を知ることができる。
【００２９】
分類情報生成部１６は、位置情報管理部１４からの端末位置情報と検索結果コンテンツ群１７に基づきコンテンツ分類情報を生成する。コンテンツ分類情報とは、コンテンツが持つ属性であって、コンテンツをグルーピング（分類）し、例えば階層ツリー状に表示する場合の属性階層情報などにより表される。
【００３０】
より詳細には、分類情報生成部１６は、エリア判定部１６ａと分類処理部１６ｂを備える。エリア判定部１６ａは、エリア判定条件１９に基づき位置情報管理部１４から取得した端末位置情報がどのエリアに属するかを判定し、この判定結果をエリア情報として分類処理部１６ｂに渡す。分類処理部１６ｂは、エリア判定部１６ａからのエリア情報を用いて検索結果コンテンツ群１７の分類処理を行いコンテンツ分類情報を生成する。生成されるコンテンツ分類情報は、エリア識別情報、端末識別情報及びコンテンツ識別情報が対応付けられている。もちろん、エリア識別情報と端末識別情報のみが対応付けられた第１の分類情報と、端末識別情報とコンテンツ識別情報が対応付けられた第２の分類情報の組合せから構成されていてもよい。
【００３１】
検索結果コンテンツ群１７は、サーバ１０のコンテンツリスト収集部１２により、あるいは各端末２０のアクセス処理部２２により検索収集された検索結果としてのローカルコンテンツリスト、サーバコンテンツリストを統合したデータである。
【００３２】
通信部１８は、端末２０から送信される分類表示要求や端末位置情報などの各種データを受信し、またアクセス制御部１１に分類表示要求を渡すとともに、位置情報管理部１４に端末位置情報を渡す。また、通信部１８は、分類情報生成部１６からのコンテンツ分類情報などのデータを端末２０に送信する。
【００３３】
エリア判定条件１９は、端末２０の位置を複数のエリアに区分けするための判定条件を示すデータであって、例えば部屋の間取り情報に基づいて生成される。エリア判定部１６ａは、エリア判定条件１９からの情報と位置情報管理部１４から入力された端末位置情報とを照合することにより、端末２０がどのエリアに属するかを判定する。エリア判定条件１９の情報は、例えばアクセス制御部１１により更新することができる。このアクセス制御部１１によるエリア判定条件１９の情報の更新は、例えば引っ越しして部屋の間取りが変わった場合などが考えられる。
【００３４】
データ表示部３０は、アクセス制御部１１からの指示に基づきコンテンツやエリアの更新画面などを表示する。入力部３１は、エリア判定条件の生成やコンテンツ分類情報などの表示要求などを入力するためのユーザインタフェースである。
【００３５】
なお、サーバ１０の上記構成はほんの一例にすぎず、例えばデータ表示部３０や入力部３１は省略してもよいし、サーバコンテンツ群１３はなくてもよい。
【００３６】
次に、上記図１に示すコンテンツ管理システム１を用いた処理動作を図２に示すシーケンス図を参照しながら説明する。図２に示す例では、ユーザが端末２０を操作し、各端末２０にあるバイナリデータ一覧を検索させてサーバ１０側で収集させ、該収集されたデータを端末２０上に検索表示する例を示す。
【００３７】
図２に示す通り、まず、端末２０がサーバ１０に接続した状態で、分類表示要求２７の入力待ち状態に設定する（Ｓ１１）。この入力待ち状態で、ユーザによる分類表示要求２７の入力の有無を表示要求部２１がチェックする（Ｓ１２）。分類表示要求２７が表示要求部２１に入力されなければ入力待ち状態（Ｓ１１）に戻り、入力があれば表示要求部２１はアクセス処理部２２に分類の表示要求を行う。この表示要求を受け、アクセス処理部２２は、位置情報獲得部２５に端末２０の位置情報取得を指示する。位置情報獲得部２５は、端末位置情報を獲得する（Ｓ１３）。得られた端末位置情報は位置情報獲得部２５からアクセス処理部２２に渡される。アクセス処理部２２は、表示要求部２１からの表示要求に基づき、通信部２６を経由して分類表示要求及び端末位置情報を送信する（Ｓ１４ａ）。
【００３８】
サーバ１０のアクセス制御部１１は、端末２０から分類表示要求を受信すると、コンテンツリスト収集部１２にコンテンツリスト収集実行を指示する。コンテンツリスト収集部１２は、この実行指示を受けてコンテンツリスト収集のための検索処理を実行して検索結果を生成する（Ｓ１５）。この検索処理は、必要に応じて例えばサーバ１０内における処理のみならず、分類表示要求のされた端末２０を含む複数の端末２０に対するローカル検索要求及び当該複数の端末２０におけるローカル検索処理、ローカル検索処理結果のサーバ１０への送信処理など、複数の処理からなる。アクセス制御部１１は、得られた検索結果のコンテンツ群（コンテンツリスト）により検索結果コンテンツ群１７を更新する。
【００３９】
図３はコンテンツリスト収集部１２における検索処理の詳細のフローチャートを示す。コンテンツリスト収集のための検索の方法は、サーバ１０内コンテンツと、各端末２０のローカルコンテンツとの関係によって変わるため、図３に示すフローチャートに従って検索手法が選択される。
【００４０】
まず、サーバ１０内に検索対象となるコンテンツが含まれているかを判定する（Ｓ１０１）。この判定の結果、サーバ１０内に該当コンテンツがなければ、各端末２０内のローカルコンテンツに対してのみ検索を実行する（Ｓ１０２）。検索対象のコンテンツがある場合は、端末２０内のローカルコンテンツがすべてサーバ１０内にあるか判定する（Ｓ１０３）。この判定の結果、サーバ１０内にコピーがないローカルコンテンツが存在する場合は、各端末２０内のローカルコンテンツおよびサーバ１０内コンテンツに対して検索を実行する（Ｓ１０４）。サーバ１０内にすべてのローカルコンテンツのコピーがある場合は、そのコピーが最新コンテンツか否かを判定する（Ｓ１０５）。判定の結果、ある端末２０について、そのローカルコンテンツ上にサーバ１０のコピーと値が異なる最新データがあれば、その端末内の前記異なるローカルコンテンツをサーバ１０に書き戻した後、サーバ１０内コンテンツに対して検索を実行する（Ｓ１０６）。すべての端末内ローカルコンテンツの最新値がサーバ１０内コンテンツ群にあれば、そのままサーバ１０内コンテンツ群に対して検索を実行する（Ｓ１０７）。最後に、検索結果を（必要があれば）マージして統合検索結果を生成する。以上でステップＳ１５の検索処理が終了する。
【００４１】
上記（Ｓ１０１）〜（Ｓ１０７）において、サーバコンテンツに対する検索は、コンテンツリスト収集部１２がサーバコンテンツ群１３を検索すればよい。ローカルコンテンツに対する検索では、まず、コンテンツリスト収集部１２が通信部１８を経由して端末２０にリスト送信要求を行う。端末２０のアクセス処理部２２は、通信部２６を経由して受信したリスト送信要求に基づきローカルコンテンツ群２４を検索してローカルコンテンツリストを収集する。アクセス処理部２２は、この収集された検索結果を通信部２６を経由してサーバ１０に送信する。サーバ１０のコンテンツリスト収集部１２は、検索結果を通信部１８を経由して受信する。
【００４２】
上記に示したコンテンツ検索結果を求める処理手順の適用例を、図４ないし図７を使って説明する。ここでは、簡単のため、ローカルコンテンツ群２４のみにコンテンツが存在する場合を想定しているが、サーバ１０のサーバコンテンツ群１３にコピーがある場合にも容易に拡張することができる。
【００４３】
図４はエリア情報が反映されたローカルコンテンツ群２４の一例を示す図である。同図は、リビングにあるＤＶＤプレーヤ内に３つの映像コンテンツ（ニュース番組Ａ、グルメ番組Ｂ、ドラマＣ）と、１つの画像コンテンツ（ホーム写真Ｘ）が入っている状態をＸＭＬ（ｅＸｔｅｎｓｉｂｌｅ  Ｍａｒｋｕｐ  Ｌａｎｇｕａｇｅ）で記述した例を示したものである。
【００４４】
各映像コンテンツのメタ情報（データに付随する付加情報）は、要素タグ「映像コンテンツ」や「画像コンテンツ」の値、すなわち、＜映像コンテンツ＞と＜／映像コンテンツ＞、あるいは＜画像コンテンツ＞と＜／画像コンテンツ＞で囲まれた部分であり、バイナリデータかテキストデータかを区別するタイプ属性、コンテンツの通番を表現したＩＤ属性の他、タイトルおよびファイル名の要素タグから構成される。例えば、ＩＤ＝１である映像コンテンツのタイトルとバイナリファイル名はそれぞれ、「ニュース番組Ａ」と「ＮＶＡ．ｍｐｇ」である。
【００４５】
また、コンテンツ全部をまとめて、「ローカルコンテンツ群」要素タグで囲んである。これは、ＤＶＤプレーヤがサーバ１０に接続された端末２０であるためであり、仮にサーバ１０である場合は、「センターデータ」タグで囲むことをここでは想定している。要素タグ「ローカルコンテンツ群」には、２つの属性「端末」、「場所」が付与されている。「端末」属性の値は端末名を、「場所」属性タグは端末のホーム内での場所を表している。すなわち、図４のローカルコンテンツ群２４は、「リビングにあるＤＶＤプレーヤ内のコンテンツ群」であることを示している。仮に、このＤＶＤプレーヤがリビングからステレオルームに移動された場合、この管理情報はサーバ１０によって、適当なタイミングで「場所」属性の値が「ステレオルーム」に書き換わることになる。
【００４６】
図５はローカルコンテンツの検索をコンテンツリスト収集部１２に指示するための命令としてのコンテンツ検索クエリの一例を示す図である。このコンテンツ検索クエリの実行は、コンテンツリスト収集部１２あるいはアクセス処理部２２で実行されるが、アクセス制御部１１で実行されてもよい。
【００４７】
図４のようなＸＭＬで記述されたコンテンツ群に対して検索するため、ここではクエリ記述言語ＸＱｕｅｒｙで記述している。図５のクエリの意図する検索条件について簡単に説明する。これは、パス「ローカルコンテンツ群」の直下にある要素タグ「映像コンテンツ」の中で、直下に値が“バイナリ”であるような属性「タイプ」を持つものを全て取得しなさい、という内容である。
【００４８】
例えば、図４の端末２０内におけるローカルコンテンツ群２４に対して、このクエリによる検索をアクセス処理部２２が実行すると、図６に示す検索結果が得られる。更に、各端末２０で得られた上記の検索結果を、＜ＸＸＸ  場所＝“ＹＹＹ”＞と＜／ＸＸＸ＞（ここで“ＸＸＸ”は、各端末名，“ＹＹＹ”は場所の値が入る）で囲み、それぞれを要素タグ＜デジタルコンテンツ＞および＜／デジタルコンテンツ＞で囲むことで各端末２０すべてに対する検索結果をマージすると、図７に示す統合検索結果として統合コンテンツリストが得られる。なお、図７では一部のデータ記述は省略している。なお、ここでは、ＰＣ内にはテキストデータ（すなわち、タイプ属性値がバイナリ）のみが含まれているため、検索結果にリビングに位置するＰＣ内コンテンツは含まれていないものと想定している。
【００４９】
次に、図２に示すように、サーバ１０の分類情報生成部１６は、コンテンツ分類情報の生成を行う（Ｓ１６）。コンテンツ分類情報の生成は、具体的にはエリア判定処理と分類処理からなる。エリア判定処理において、エリア判定部１６ａは、位置情報管理部１４から端末位置情報を読み出し、予め登録されたエリア判定条件１９と照合する。そして、各端末２０がいずれのエリアに属するか判定する。分類処理部１６ｂは、エリア判定部１６ａの判定結果に基づき各端末２０やコンテンツに関する検索結果コンテンツ群１７を分類する。すなわち、同一エリアに属する端末２０及びそのコンテンツをグルーピングする。これにより、コンテンツ分類情報が生成される。
【００５０】
具体的に図を用いてエリア判定処理を説明する。
【００５１】
図８はエリア判定条件１９の一例を示す図である。図８に示すように、場所、すなわちエリア情報とエリア境界条件が対応付けられている。エリア情報は、サーバを所有するユーザの家（ホーム）を例にとれば、例えば子供部屋、リビング、寝室などが該当する。エリア境界条件は、ある特定の地点を（東０，北０）で表し、この基準点（東０，北０）に対して２方向への距離を座標（東Ｘ，北Ｙ）（例えば単位はメートル）で表す。（東Ｘ，北Ｙ）は基準点（東０，北０）から東へ距離Ｘ、北へ距離Ｙ進んだ地点である。また、エリア境界条件として、２つの地点（東Ｘ１，北Ｙ１）及び（東Ｘ２，北Ｙ２）を用いて（東Ｘ１，北Ｙ１）−（東Ｘ２，北Ｙ２）と表すことにより、東の方向にＸ１からＸ２までの範囲で、かつ北の方向にＹ１からＹ２までの範囲の端末を、そのエリア境界条件に対応付けられたエリア情報に該当するものと判定するように設定されている。
【００５２】
図８の例では、ホームの専有区画が（東０，北０）から（東１０，北１１）を占めていると仮定している。子供部屋の範囲が（東０，北０）−（東４，北３）とあるのは、（東０，北０）、（東４，北０）、（東０，北３）、（東４，北３）で囲まれる長方形の内部範囲を表している。他の場所についても同様である。なお、簡単のため、以降の説明では（東Ｘ，北Ｙ）の代わりに（Ｘ，Ｙ）の記法を用いて書くことにする。また、部屋の形が長方形以外の形もあり得るので、線形不等式の集合を用いて範囲を定めてもよい。
【００５３】
また、エリア境界条件の定め方はほんの一例にすぎず、より複雑なエリア境界条件の定め方も可能であり、さらには高さを含めて端末位置情報が特定できる場合には、高さを含めたエリア境界条件を設定してもよい。これにより、階を移動した場合に各階ごとのエリア情報を正確に対応付けることができる。
【００５４】
図９は端末位置情報ＤＢ１５の一例を示す図である。同図は、各端末２０に通信アクセスしたときにＧＰＳから得られた位置情報およびこの位置情報から求めた端末のホーム内におけるエリア情報（場所）を表している。端末位置情報には、エリア情報（場所）が対応付けられていてもよいし、対応付けられておらずにエリア判定部１６ａにより対応付けるようにしてもよい。
【００５５】
例えば、ＤＶＤプレーヤの位置が（８．０，３．５）であるため、エリア情報（場所）は、図９の（４．０，３．０）−（９．０，７．０）、すなわちリビングであることが分かる。同様にして、デジタルカメラ、ＰＣ、ＭＤプレーヤの場所は、それぞれ、リビング、リビング、ステレオルームと決定される。また、ホーム内で指定がない位置に存在する端末２０は、「その他ホーム内」と分類している。また、ホーム内すなわち、（０．０，０．０）−（１０．０，１１．０）の範囲外に位置する端末については、エリア判定条件１９の登録範囲外であると判定され、ここでは登録エリア外であることを示す「外出先」と分類している。これらは、ユーザがさらに細かい分類（例えば、「近所の公園」、「小学校」等）として設定するのでも構わない。
【００５６】
以上のようにして求められたエリア情報は、ローカルコンテンツ群２４に反映されてもよいし、反映されなくてもよい。本実施形態の各図に示す例では、エリア情報が生成されるとそのエリア情報がアクセス制御部１１によりサーバコンテンツ群１３に反映され、またアクセス処理部２２によりローカルコンテンツ群２４に反映される。
【００５７】
図１０は、分類処理部１６ｂにより得られたコンテンツ分類情報の一例を示す図である。図１０に示すように、コンテンツ分類情報は第１階層、第２階層及び第３階層が対応付けられた階層分類により示される。第１階層はコンテンツ種別を、第２階層はエリア情報としての場所を、第３階層は端末識別情報としての端末名称を表している。すなわち、第１階層はデータ検索結果のトップ要素タグである「デジタルコンテンツ」、第２階層は各端末が位置するホーム内の場所である「リビング」「ステレオルーム」、第３階層は各端末名称として、「ＤＶＤプレーヤ」などが示されている。
【００５８】
分類情報生成部１６で得られたコンテンツ分類情報（図１０に対応したデータ構造）及び検索結果（図９のメタ情報データ）は通信部１８を経由してサーバ１０から分類表示要求のあった端末２０に送信される（Ｓ１７ａ）。この送信の際に、サーバ１０から端末２０へ検索結果のＸＭＬを表示するための適当なスタイルファイルを表示データとともに送ってもよいし、端末２０上に固定のフォーマットで表示するのでもよい。端末２０の通信部２６は、受信（Ｓ１７ｂ）したコンテンツ分類情報及び検索結果（統合コンテンツリスト）をアクセス処理部２２に渡す。アクセス処理部２２は、このコンテンツ分類情報に従った検索結果表示画像を生成してコンテンツ表示部２３に出力する。コンテンツ表示部２３は、取得した検索結果表示画像に基づき検索結果を表示する（Ｓ１８）。
【００５９】
図１１はコンテンツ表示部２３に表示される分類表示の一例を示す図である。コンテンツ及び分類情報は階層的な構成をなすため、同図に示すように階層ツリー状に検索結果コンテンツ群を表示することができる。図１２は、端末に対応付けられるコンテンツ表示を省略した画面例である。なお以下の説明では簡単のため、図１１の階層ツリーは、コンテンツデータ部分を除いた図１２のような簡略化された階層ツリーとして図示することにする。
【００６０】
このように、サーバ１０にネットワーク接続された各端末２０の位置情報を利用して、直感的な分類階層として各端末２０内にあるローカルコンテンツを表示することができる。
【００６１】
次に、端末移動時の動作を説明する。
【００６２】
端末移動の一例として、ホーム内でいずれかの端末２０を移動した例について説明する。
【００６３】
リビングにある端末２０、例えばデジタルカメラを、ユーザがリビングからステレオルームに移した場合を考える。このとき、図９に示したデジタルカメラの位置情報（７．５，３．５）は、サーバ１０からのコンテンツ検索時に（８．５，９．０）に変化していたとする。すなわち、各端末２０の端末位置情報は図１３に示したようになる。ここで、ハッチが入った部分がデジタルカメラの位置情報およびホーム内場所を記述している。端末２０のアクセス処理部２２は、位置情報獲得部２５で取得される端末位置情報をサーバ１０に送信する。サーバ１０のエリア判定部１６ａは、図８のエリア判定条件１９を参照することで、デジタルカメラ端末はリビングからステレオルームに移ったと認識できる。
【００６４】
図１４は、この変化した端末位置情報に基づき図５に示すクエリを用いて各端末２０内のローカルコンテンツ（バイナリ）を検索した結果を示す図である。デジタルカメラ内コンテンツに対応する「場所」属性が「リビング」から「ステレオ」に変わっている。したがって、ユーザから再度の分類表示要求があった場合、その分類情報結果も必然的に変化するため、検索結果データの階層ツリー表示についても再表示する必要がある。このとき、更新された分類階層に従って再表示した結果を図１５に示す。
【００６５】
端末移動の別の一例として、ホーム外に端末２０を移動した例について説明する。図９に示したデジタルカメラの位置情報（７．５，３．５）が、サーバ１０からのコンテンツ検索時に（１００．０，−９０．０）に変化した場合を考える。このとき、上述の例と同様の手順により、図８に基づきデジタルカメラは「外出先」に位置すると判定できる。図１６は、変化したエリア情報が対応付けられた端末位置情報ＤＢ１５の一例を示す図である。ユーザから再度の分類表示要求があった場合、今度は図１７に示すクエリ検索結果を得ることができる。サーバ１０上で適切に分類情報を更新した後、端末２０のコンテンツ表示部２３に図１８に示す階層ツリー状に検索結果が表示される。デジタルカメラの物理的な位置の移動により、場所「リビング」に対応付けられてその下層に表示されていた端末名称「デジタルカメラ」が、場所「外出先」の下層に表示位置が変わっている。
【００６６】
次に、外出先でのコンテンツ分類表示の変形例を説明する。
上記実施形態では、ユーザがホーム内にいて、ホーム内に位置する端末２０上でコンテンツを表示する場合を想定したが、これに限定されない。本変形例では例えば、外出先からリモートで各端末２０内コンテンツを携帯端末２０上に表示する場合を想定している。図１９は、図１６のコンテンツ配置において外出先からＰＤＡ上に各コンテンツを表示する端末位置情報の一例を示している。この場合、エリア判定部１６ａは、エリア情報として「外出先」の代わりに「現在地」を割り当てるようにしてもよい。この変形例における分類表示結果の一例を図２０に示す。ここでは、デジタルカメラの位置情報（−１００．０，−９０．０）が、表示端末であるＰＤＡの位置情報（−１００．５，−９０．５）に非常に近いため、エリア判定部１６ａにより「現在地」が割り当てられている。このように、ホーム内とホーム外のエリア境界条件を分け、ホーム外の場合には、例えば検索表示を行う端末２０の位置から所定の距離（例えば数メートル）の範囲を動的にエリア情報「現在地」を割り当て、それ以外には「外出先」などを割り当てるように判定するようにしてもよい。
【００６７】
なお、図１の構成例に基づく場合、端末位置情報にはエリア判定結果、すなわちエリア情報は含まれなくてもよいが、端末位置情報ＤＢ１５が更新されるたびにエリア判定部１６ａがエリア判定処理を行い、その判定結果であるエリア情報を端末に対応付けて格納しておいてもよい。この場合、位置情報管理部１４にエリア判定部１６ａとしての機能を持たせ、分類情報生成部１６は分類処理部１６ｂとして機能させればよい。この場合のサーバ１０の構成を図２１に示す。同図に示すように、位置情報管理部１４のエリア判定部１６ａがエリア判定条件１９及び各端末２０から取得したエリア情報を含まない端末位置情報に基づきエリア判定処理を行い、得られたエリア判定結果としてのエリア情報を端末に対応付けて端末位置情報ＤＢ１５を更新する。
【００６８】
以上に説明したように本実施形態によれば、ファイルシステムのような論理的位置でなく、家庭やオフィスでの物理的な位置情報を基に端末内のコンテンツを分類表示できるため、ユーザにとって直感的で扱いやすいコンテンツ管理、閲覧が可能になる。
【００６９】
（第２実施形態）
本実施形態は第１実施形態の変形例に係わり、分類表示要求の送信タイミングが第１実施形態と異なる。図２２は本実施形態に係る処理シーケンス図である。図２と同一のステップには同一の処理ステップ符号を付し、詳細な説明は省略する。具体的には、（Ｓ１１）、（Ｓ１４ａ）〜（Ｓ１８）の各ステップは図２と共通する。
ここでは、ユーザが端末２０からサーバ１０に、各端末２０にあるバイナリコンテンツデータ一覧を検索表示する場合を例に説明する。
【００７０】
各端末２０の位置情報獲得部２５は、ステップＳ１１のユーザ入力待ち状態において、端末位置情報を取得してアクセス処理部２２に渡す（Ｓ２０１）。アクセス処理部２２は、前回の位置情報獲得時と比べて各端末の位置情報に変化があるか否かを判定する（Ｓ２０２）。判定手法の一例を以下に示す。
【００７１】
例えば前回の端末位置情報を記憶装置に格納しておき、この前回端末位置情報を記憶装置から読み出し、今回の端末位置情報との端末位置の差を算出し、この端末位置の差の絶対値が閾値を超えるか否かを判定し、超えている場合には変化ありと判定し、超えていない場合には変化なしと判定する。
【００７２】
以上の端末位置情報の変化判定で変化ありと判定された場合、ステップＳ１４ａに進み、検索要求をサーバ１０に送信する。位置情報に変化がなければ、ユーザによる分類表示要求入力の有無を検出する（Ｓ２０３）。ここで、分類表示要求があれば、ステップＳ１４ａに進み、分類表示要求がなければ分類表示要求待ちの状態を保つ（Ｓ１１）。ステップＳ１４ａ以降の処理手順は、第１実施形態の図２と共通する。
【００７３】
また、ステップＳ２０１において、コンテンツを保持する端末の一部が、（Ａ）端末の電源がＯＦＦのとき、（Ｂ）端末間の距離が離れすぎていてネットワーク接続に失敗するときなどの原因により端末位置情報が取得できない場合は、これらの場所情報を新たに「不明」と設定して再表示してもよい。ここで、その後のステップＳ１５において、コンテンツを保持する端末の一部が（Ａ）端末の電源がＯＦＦのとき、（Ｂ）端末間の距離が離れすぎていてネットワーク接続に失敗するとき、（Ｃ）端末にＧＰＳ機能が具備されていないときなどの原因により端末内のコンテンツ内容を取得できない場合は、第１実施形態と同様に、エリア判定部１６ａがこれらの場所情報を「不明」として判定処理するのでも構わないし、分類ツリーから除いて表示するのでも構わない。
【００７４】
以上に説明したように、本実施形態によれば、ファイルシステムのような論理的位置でなく、家庭やオフィスでの物理的な位置情報を基に端末内のコンテンツを分類表示できるため、ユーザにとって直感的で扱いやすいコンテンツ管理、閲覧が可能になる。特に、ユーザが端末を移動させた場合に、自動的にコンテンツの分類結果を再表示することが可能になる。
【００７５】
本発明は上記実施形態に限定されるものではない。
上記実施形態では、図８に示したホーム内位置の対応表を示すエリア判定条件１９をユーザが設定することを前提としたが、そのような情報をネットワーク経由で住宅提供事業者から送信されるビジネスモデルに適用してもよい。また、図８のような物理的場所の情報登録は、予め住居の間取り情報から自動登録できるようにするのでも構わない。
【００７６】
また、上記実施形態では、すべての端末２０がＧＰＳ等により端末位置情報を獲得できるという前提であったが、例えば（Ａ）端末の電源がＯＦＦのとき、（Ｂ）端末間の距離が離れすぎていてネットワーク接続に失敗するとき、（Ｃ）端末にＧＰＳ機能が具備されていないときなどが原因で端末位置情報が不明な端末２０が混じっているケースが考えられる。このような場合は、場所情報として「不明」を割り当てるようにエリア判定部１６ａが判定してもよいし、分類ツリーから位置情報が不明の端末内のコンテンツを除いて表示してもよい。
【００７７】
また、サーバ１０と各端末２０との情報の送受信は無線通信でも有線通信でもよい。
また、端末２０に検索結果を分類表示する例を示したが、入力部３１からの分類表示要求に基づきサーバ１０のデータ表示部３０に検索結果を分類表示してもよい。
【００７８】
また、コンテンツをコンテンツ表示部２３に表示するコンテンツ利用例のみ示したが、例えば音声出力スピーカをアクセス処理部２２に接続し、この音声出力スピーカから音声データに基づく音声を出力してもよい。
【００７９】
また、上記図２、図３や図２２に示した処理ステップはほんの一例にすぎず、本発明の趣旨を逸脱しない範囲で種々処理順序を変更することができる。
【００８０】
また、位置情報の取得は端末機器のみに限らず、端末で再生等されるコンテンツを格納するＤＶＤメディアなどの記録媒体などの付属物にも拡張可能である。例えば記録媒体にＩＣタグなどのラベルを貼り付け、このラベルを無線により検知することで得られた位置情報（媒体位置情報）を各端末２０が取得してもよい。これにより、端末２０のみならず、端末２０で用いられるコンテンツを格納した記録媒体などの付属物についても場所を特定することができる。
【００８１】
また、図１２に示した分類表示はほんの一例にすぎない。例えば図２３のように、階層表示ではないがエリア情報（場所）ごとに端末、さらにはその端末２０が記憶するコンテンツを分類表示するものでもよい。
【００８２】
また、上記実施形態では端末位置情報やコンテンツを統合管理するサーバ１０を用いる例を示したが、これに限定されない。例えば、すべての端末２０がサーバ１０に相当する機能を備えてもよい。
【００８３】
また、上記実施形態ではコンテンツそのものをサーバ１０が検索により収集し、そのコンテンツのリストを検索要求のあった端末２０に送信し、端末２０側で表示等できるように構成したが、これに限定されない。
【００８４】
例えば映像データなどの容量の大きいコンテンツの場合には、コンテンツのファイル名などのコンテンツ識別情報のリストのみを検索により収集してもよい。この場合、コンテンツ識別情報のリストを検索要求のあった端末２０に送信し、端末２０側でコンテンツ識別情報を分類表示する。コンテンツ識別情報のみの表示の場合、例えば表示要求部２１などからコンテンツそのものの表示要求が入力された場合、このコンテンツ表示要求をアクセス処理部２２が通信部２６を経由してコンテンツ識別情報とともにサーバ１０に送信する。サーバ１０は、このコンテンツ表示要求を受けて該当するコンテンツ識別情報に対応するコンテンツそのものを検索結果コンテンツ群１７から読み出し端末２０に送信する。あるいは、該当するコンテンツ識別情報をそのコンテンツを記憶する別の端末２０に送信してコンテンツの送信要求を行い、当該別の端末２０からコンテンツを受信した上でコンテンツ表示要求のあった端末２０に送信し、当該端末２０で表示等する。これにより、コンテンツの検索収集処理時間が短縮できる。
【００８５】
【発明の効果】
以上詳述したように本発明によれば、ユーザにとって直感的で扱いやすいコンテンツ管理が可能になる。
【図面の簡単な説明】
【図１】本発明の第１実施形態に係るコンテンツ管理システムの全体構成を示す図。
【図２】同実施形態に係るコンテンツ管理システムを用いた処理シーケンス図。
【図３】同実施形態に係るコンテンツ検索部における検索処理の詳細のフローチャートを示す図。
【図４】同実施形態に係るローカルコンテンツ群の一例を示す図。
【図５】同実施形態に係るコンテンツ検索クエリの一例を示す図。
【図６】同実施形態に係るクエリ検索結果の一例を示す図。
【図７】同実施形態に係る統合検索結果の一例を示す図。
【図８】同実施形態に係るエリア判定条件の一例を示す図。
【図９】同実施形態に係る端末位置情報の一例を示す図。
【図１０】同実施形態に係るコンテンツ分類情報の一例を示す図。
【図１１】同実施形態に係るコンテンツ表示部に表示される分類表示例を示す図。
【図１２】同実施形態に係るコンテンツ表示を省略した分類表示例を示す図。
【図１３】同実施形態に係る端末移動の一例における端末位置情報の変化を示す図。
【図１４】同実施形態に係る端末移動の一例におけるローカルコンテンツの検索結果を示す図
【図１５】同実施形態に係る端末移動の一例における更新された分類階層に従って再表示した分類表示例を示す図。
【図１６】同実施形態に係る端末移動の別の一例における端末位置情報の一例を示す図。
【図１７】同実施形態に係る端末移動の別の一例におけるクエリ検索結果の一例を示す図。
【図１８】同実施形態に係る端末移動の別の一例における分類表示例を示す図。
【図１９】同実施形態に係る外出先操作の変形例における端末位置情報の一例を示す図。
【図２０】同実施形態に係る外出先操作の変形例における分類表示結果の一例を示す図。
【図２１】同実施形態に係るサーバ構成の変形例を示す図。
【図２２】本発明の第２実施形態に係る処理シーケンス図。
【図２３】同実施形態に係る分類表示の変形例を示す図。
【符号の説明】
１…コンテンツ管理システム、１０…サーバ、１１…アクセス制御部、１２…コンテンツリスト収集部、１３…サーバコンテンツ群、１４…位置情報管理部、１５…端末位置情報、１６…分類情報生成部、１７…検索結果コンテンツ群、１８…通信部、１９…エリア判定条件、２０…情報端末、２１…表示要求部、２２…アクセス処理部、２３…コンテンツ表示部、２４…ローカルコンテンツ群、２５…位置情報獲得部、２６…通信部、３０…データ表示部、
【図１】
2005062952.tif 000003
【図２】
2005062952.tif 000004
【図３】
2005062952.tif 000005
【図４】
2005062952.tif 000006
【図５】
2005062952.tif 000007
【図６】
2005062952.tif 000008
【図７】
2005062952.tif 000009
【図８】
2005062952.tif 000010
【図９】
2005062952.tif 000011
【図１０】
2005062952.tif 000012
【図１１】
2005062952.tif 000013
【図１２】
2005062952.tif 000014
【図１３】
2005062952.tif 000015
【図１４】
2005062952.tif 000016
【図１５】
2005062952.tif 000017
【図１６】
2005062952.tif 000018
【図１７】
2005062952.tif 000019
【図１８】
2005062952.tif 000020
【図１９】
2005062952.tif 000021
【図２０】
2005062952.tif 000022
【図２１】
2005062952.tif 000023
【図２２】
2005062952.tif 000024
【図２３】
2005062952.tif 000025